(57)【要約】      （修正有）【課題】しなりや揺れに対する安定性の向上を図るベッドフレームを提供する。【解決手段】ベッドフレームは、第１フレーム部材１２と、第１フレーム部材１２に対して直角方向へ延びるように設けられた第２フレーム部材１３と、第１フレーム部材１２と第２フレーム部材１３とを連結するためのベッドフレーム用連結部材２０と、を備えている。ベッドフレーム用連結部材２０は、板状であって第１フレーム部材１２の内側面に固定される第１取付部２１と、板状であって第２フレーム部材１３の内側面に固定される第２取付部２２と、第１取付部２１と第２取付部２２とを接続する接続部２３と、を有している。【選択図】図２
0003196202.tif 000002
【実用新案登録請求の範囲】
【請求項１】
第１フレーム部材と、前記第１フレーム部材に対して直角方向へ延びるように設けられた第２フレーム部材と、を有するベッドフレームにおいて、前記第１フレーム部材と前記第２フレーム部材とを連結するためのベッドフレーム用連結部材であって、
板状であって前記第１フレーム部材の内側面に固定される第１取付部と、
板状であって前記第２フレーム部材の内側面に固定される第２取付部と、
前記第１取付部と前記第２取付部とを接続する接続部と、
を備えているベッドフレーム用連結部材。
【請求項２】
前記接続部は、板状であって、前記第１取付部の下側の辺部と前記第２取付部の下側の辺部とを接続している請求項１に記載のベッドフレーム用連結部材。
【請求項３】
前記第１取付部と前記第２取付部とは金属製の板部材を折り曲げることにより一体に形成され、
前記第１取付部と前記第２取付部との接続部分に、塑性変形によって形成されたリブを更に備えている請求項１又は２に記載のベッドフレーム用連結部材。
【請求項４】
前記第１取付部は、ねじを通すために厚み方向へ貫いて形成されて上側が開放されているとともに下側が閉塞された開放穴部を有している請求項１から３のいずれか一項に記載のベッドフレーム用連結部材。
【請求項５】
第１フレーム部材と、
前記第１フレーム部材に対して直角方向へ延びるように設けられた第２フレーム部材と、
前記第１フレーム部材と前記第２フレーム部材とを連結するためのベッドフレーム用連結部材と、を備え、
前記ベッドフレーム用連結部材は、
板状であって前記第１フレーム部材の内側面に固定される第１取付部と、
板状であって前記第２フレーム部材の内側面に固定される第２取付部と、
前記第１取付部と前記第２取付部とを接続する接続部と、を有しているベッドフレーム。
【請求項６】
前記第１フレーム部材と前記第２フレーム部材との接続部分において前記第１フレーム部材又は前記第２フレーム部材の少なくとも一方の下方に設けられて前記第１フレーム部材又は前記第２フレーム部材の少なくとも一方を支持する脚部材を更に備え、
前記接続部は、板状であって、前記第１取付部の下側の辺部と前記第２取付部の下側の辺部とを接続し、前記脚部材の上に載置される請求項５に記載のベッドフレーム。
【請求項７】
前記第１取付部と前記第２取付部とは金属製の板部材を折り曲げることにより一体に形成され、
前記第１取付部と前記第２取付部との接続部分に、塑性変形によって形成されたリブを更に備えている請求項５又は６に記載のベッドフレーム。
【請求項８】
前記第１取付部は、ねじを通すために厚み方向へ貫いて形成されて上側が開放されているとともに下側が閉塞された開放穴部を有している請求項５から７のいずれか一項に記載のベッドフレーム。
【考案の詳細な説明】
【技術分野】
【０００１】
本考案の実施形態は、ベッドフレーム用連結部材、及びそのベッドフレーム用連結部材を用いたベッドフレームに関する。
【背景技術】
【０００２】
ベッドフレームは、人の頭部側に位置するヘッドボードと、人の脚部側に位置するフットボードと、これらヘッドボードとフットボードとの間を繋ぐ左右のサイドレールと、を備えている。従来、例えば図９に示すように、ヘッドボート９１又はフットボード９１と、サイドレール９２との連結は、金具９３によって行われていた。金具９３は、例えば金属製の板をＬ字状に折り曲げて構成された連結用の部材である。
【０００３】
しかし、このようなＬ字状の金具は、２つの板状の取付部９３１、９３２の離接方向への強度があまり高くなく、そのため、ベッドフレームのしなりや揺れに対して不安定であった。
【先行技術文献】
【特許文献】
【０００４】
【特許文献１】実用新案登録第３１１８３９１号公報
【考案の概要】
【考案が解決しようとする課題】
【０００５】
そこで、しなりや揺れに対する安定性の向上を図ることのできるベッドフレーム用連結部材、及びそのベッドフレーム用連結部材を用いたベッドフレームを提供する。
【課題を解決するための手段】
【０００６】
実施形態のベッドフレームは、第１フレーム部材と、前記第１フレーム部材に対して直角方向へ延びるように設けられた第２フレーム部材と、前記第１フレーム部材と前記第２フレーム部材とを連結するためのベッドフレーム用連結部材と、を備えている。ベッドフレーム用連結部材は、板状であって前記第１フレーム部材の内側面に固定される第１取付部と、板状であって前記第２フレーム部材の内側面に固定される第２取付部と、前記第１取付部と前記第２取付部とを接続する接続部と、を有している。
【０００７】
これによれば、第１取付部と第２取付部とは、接続部によって接続されている。そのため、第１取付部と第２取付部との離接方向への強度が向上し、その結果、ベッドフレームのしなりや揺れに対しての安定性が向上する。
【図面の簡単な説明】
【０００８】
【図１】第１実施形態によるベッドフレームの一例を示す斜視図
【図２】第１実施形態によるベッドフレーム用連結部材の周辺の構成の一例を示す斜視図
【図３】第１実施形態によるベッドフレーム用連結部材の周辺の構成の一例を示す分解斜視図
【図４】第１実施形態によるベッドフレーム用連結部材を示す三面図であって、（ａ）は正面図、（ｂ）は右側面図、（ｃ）は平面図
【図５】第１実施形態によるベッドフレーム用連結部材の周辺の構成の一例を示す平面図
【図６】第１実施形態によるベッドフレーム用連結部材について、曲げ加工前の板部材を示す図
【図７】第１実施形態によるベッドフレームの組み立て手順を（ａ）、（ｂ）の順に経時的に示す図
【図８】第２実施形態によるベッドフレーム用連結部材を示す三面図であて、（ａ）は正面図、（ｂ）は右側面図、（ｃ）は平面図
【図９】従来構成のベッドフレーム用連結部材の周辺の構成の一例を示す斜視図
【考案を実施するための形態】
【０００９】
以下、複数の実施形態によるベッドフレーム用連結部材及びベッドフレームについて、図面を参照して説明する。なお、各実施形態において実質的に同一の構成部位には同一の符号を付し、説明を省略する。
【００１０】
（第１実施形態）
図１に示すベッドフレーム１０は、ヘッドボート１１、フットボード１２、左側のサイドレール１３１、右側のサイドレール１３２、及び脚部材１５を備えている。なお、以下の説明では、ベッドフレーム１０が設置面に設置された状態における重力方向を、ベッドフレーム１０の上下方向とする。また、ヘッドボード１１側をベッドフレーム１０の前側とし、フットボード１２側をベッドフレーム１０の後側とする。また、左側のサイドレール１３１側をベッドフレーム１０の左側とし、右側のサイドレール１３２側をベッドフレーム１０の右側とする。
【００１１】
ベッドフレーム１０は、ヘッドボート１１、フットボード１２、及び左右のサイドレール１３１、１３２によって、矩形の枠状に形成されている。この場合、ヘッドボート１１及びフットボード１２は、第１フレーム部材に相当する。また、左右のサイドレール１３１、１３２は、第２フレーム部材に相当する。
【００１２】
ヘッドボード１１は、使用者の頭部側に設けられる。ヘッドボード１１は、例えば矩形の板状に形成されており、その板状の面がベッドフレーム１０の設置面に対して略垂直となるように設けられている。フットボード１２は、使用者の脚部側に設けられる。フットボード１２は、例えばヘッドボード１１よりも上下方向の寸法が小さく、左右方向へ延びる矩形の細長い板状に形成されている。フットボード１２は、ヘッドボード１１と対向して設けられている。
【００１３】
左右のサイドレール１３１、１３２は、上下方向の寸法がフットボード１２と同等であり、フットボード１２及びヘッドボード１１に対して直角方向へ延びる矩形の細長い板状に形成されている。左右のサイドレール１３１、１３２は、それぞれヘッドボード１１とフットボード１２との左右両端部に設けられ、ヘッドボード１１とフットボード１２とを繋いでいる。本実施形態の場合、左右のサイドレール１３１、１３２は、左右対称に構成されている。したがって、左右のサイドレール１３１、１３２のいずれかを区別しない場合は、単にサイドレール１３と称する。
【００１４】
サイドレール１３には、支持部１４が設けられている。支持部１４は、サイドレール１３の内側の面、つまりベッドフレーム１０の枠状の内側となる面に設けられている。支持部１４は、角柱状であって、サイドレール１３の長手方向へ沿って設けられている。なお、図１では、支持部１４におけるフットボード１２側の端部を破断して示している。支持部１４には、詳細は図示しないが、例えば簀子状の床板が載置される。そして、その床板の上にマットレスが載置される。
【００１５】
ベッドフレーム１０は、ベッドフレーム用連結部材２０（以下、単に連結部材２０と称する）と、脚部材１５と、を備えている。連結部材２０は、ヘッドボード１１又はフットボード１２の端部と、サイドレール１３の端部とを連結するためのものである。なお、図１〜７で示す連結部材２０は、左側のサイドレール１３１に用いられるものである。右側のサイドレール１３２に用いられる連結部材は、図示しないが右側の連結部材２０と左右対称に構成されている。
【００１６】
脚部材１５は、円柱形状に形成されている。脚部材１５の下面は、ベッドフレーム１０の設置面に接触し、ベッドフレーム１０を支持している。本実施形態の場合、ベッドフレーム１０は、２つの脚部材１５を備えている。脚部材１５は、フットボード１２とサイドレール１３との接続部分の下側に設けられて、フットボード１２及びサイドレール１３のすくなくとも一方を支持する。本実施形態の場合、脚部材１５は、フットボード１２及びサイドレール１３の両方を支持している。ヘッドボード１１の下面は、ベッドフレーム１０の設置面に接触している。したがって、本実施形態の場合、ベッドフレーム１０は、ヘッドボード１１と、脚部材１５とによって支持されている。
【００１７】
次に、連結部材２０の構成について説明する。図２及び図３は、ベッドフレーム１０の四つの隅のうち左後側部分の構成を拡大して示すものであるが、他の隅の構成も左後側部分の構成に類似しており、これらは同等の機能及び作用を奏する。連結部材２０は、第１取付部２１と、第２取付部２２と、接続部２３と、を一体に有している。
【００１８】
第１取付部２１は、全体として矩形の板状であって、第１フレーム部材としてのヘッドボード１１又はフットボード１２の内側面に対して平行な面を有するように設けられている。第１取付部２１は、２つのねじ３１、３２等の締結部品によって、ヘッドボード１１又はフットボード１２の内側の面に接した状態で固定される。第１取付部２１には、図４（ａ）に示すように、長穴部２１１と開放穴部２１２とが形成されている。長穴部２１１及び開放穴部２１２は、ねじ３１、３２を通すために、第１取付部２１を厚み方向へ貫いて形成されている。
【００１９】
長穴部２１１は、いわゆる長穴であって、上下方向へ長くなるように形成されている。開放穴部２１２は、長穴部２１１の下側に形成されている。開放穴部２１２の上側つまり上部は、第２取付部２２と反対側の辺部へ向かって開放されている。一方、開放穴部２１２の下側つまり下部は、長穴形状に形成され閉塞されている。この場合、開放穴部２１２の上部の開放された部分を、開放部２１４と称する。また、開放穴部２１２の下部の閉塞された部分を、閉塞部２１５と称する。
【００２０】
図３に示すように、フットボード１２（又はヘッドボード１１）には、上下方向に並んだ２つのねじ穴１２１、１２２が形成されている。ねじ穴１２１、１２２の内側には、雌ねじが形成されている。上側のねじ穴１２１は、第１取付部２１の長穴部２１１対応している。下側のねじ穴１２２は、第１取付部２１の開放穴部２１２に対応している。
【００２１】
上側のねじ３１は、長穴部２１１に通されて、フットボード１２（又はヘッドボード１１）に設けられた上側のねじ穴１２１にねじ込まれる。また、下側のねじ３２は、開放穴部２１２に通されて、フットボード１２（又はヘッドボード１１）に設けられた下側のねじ穴１２２にねじ込まれる。これにより、第１取付部２１は、フットボード１２（又はヘッドボード１１）の内側の面に取り付けられて固定される。
【００２２】
第２取付部２２は、全体として矩形の板状であって、第２フレーム部材としてのサイドレール１３の内側の面に対して平行な面を有するように設けられている。第２取付部２２は、７つのねじ３３等の締結部品によって、サイドレール１３の内側の面に接した状態で固定される。第２取付部２２には、図４（ｂ）に示すように、７つの皿穴部２２１が形成されている。皿穴部２２１は、第２取付部２２を厚み方向へ円形に貫いて形成されて、その穴の周囲に皿もみ加工が施されたいわゆる皿穴である。７つの皿穴部２２１は、第２取付部２２の中央部に１つ形成されるとともに、第２取付部２２の前寄り及び後寄り部分にそれぞれ上下に３つ並べるようにして形成されている。
【００２３】
図３に示すように、サイドレール１３には、複数この場合７個のねじ穴１３３が形成されている。ねじ穴１３３の内側には、雌ねじが形成されている。各ねじ穴１３３は、第２取付部２２の７つの皿穴部２２１にそれぞれ対応している。ねじ３３は、皿穴部２２１に通されて、サイドレール１３に設けられたねじ穴１３３にねじ込まれる。これにより、第２取付部２２は、サイドレール１３の内側の面に取り付けられて固定される。
【００２４】
接続部２３は、全体として矩形この場合台形の板状であって、サイドレール１３の内側の面、及びフットボード１２又はヘッドボード１１の内側の面に対して垂直な面を有するように設けられている。接続部２３は、第１取付部２１の下側の辺部２１３と第２取付部の下側の辺部２２２とを接続している。接続部２３は、ねじ３４等の締結部品によって、脚部材１５の上面に載置された状態で固定される。
【００２５】
接続部２３の中央部分には、通し穴部２３１が形成されている。通し穴部２３１は、接続部２３を厚み方向に円形に貫いて形成されている。脚部材１５の上面には、ねじ穴１５１が形成されている。ねじ穴１５１の内側には雌ねじが形成されている。ねじ穴１５１は、通し穴部２３１に対応している。ねじ３４は、通し穴部２３１に通されて、脚部材１５の上面側に設けられたねじ穴１５１にねじ込まれる。これにより、接続部２３は、脚部材１５の上面に取り付けられて固定される。この場合、図５に示すように、フットボード１２の一部と、サイドレール１３の一部と、接続部２３の全部と、が脚部材１５の上面に載置されている。つまり、脚部材１５は、フットボード１２とサイドレール１３と連結部材２０との下方に設けられて、これらフットボード１２とサイドレール１３と連結部材２０とを支持している。
【００２６】
連結部材２０は、図６に示すように、例えば１枚の金属製の板部材２０１を折り曲げた後に、辺部を溶接等によって接合することで形成されている。この場合、折り曲げ加工する前の板部材２０１において、第１取付部２１と第２取付部２２とは破線Ａ部分で区分され、第２取付部２２と接続部２３とは破線Ｂ部分で区分されている。また、第１取付部２１と接続部２３とは離間している。板部材２０１は、破線Ａ、Ｂ部分で谷折りに曲げられた後、第１取付部２１の下側の辺部２１３と接続部２３の辺部２３２とが溶接されて接合される。本実施形態の場合、第１取付部２１の辺部２１３と接続部２３の辺部２３２とは、例えばスポット溶接によって接合される。この場合、第１取付部２１と接続部２３との接合部分には、図４に示すように、溶接跡２４が形成される。
【００２７】
また、連結部材２０は、図４に示すように、リブ２５を有している。リブ２５は、第１取付部２１と第２取付部２２との折り曲げ部分、つまり第１取付部２１と第２取付部２２との境界部分に２つ設けられている。リブ２５は、第１取付部２１及び第２取付部２２を折り曲げた後、この折り曲げた角部分に対し、第１取付部２１及び第２取付部２２の外面側から型等を打ち付けて窪ませるように塑性変形させることで形成されている。リブ２５は、連結部材２０を補強するためのものである。リブ２５によれば、第１取付部２１と第２取付部２２とが離接する方向への強度が高まる。
【００２８】
次に、ベッドフレーム１０の組み立て手順の一例について図７を参照して説明する。
作業者は、まず、図７（ａ）に示すように、サイドレール１３と脚部材１５と連結部材２０とを相互に接続する。また、作業者は、フットボード１２について、開放穴部２１２に対応する下側のねじ穴１２２に対して予めねじ３２を緩くねじ込んでおく。その後、作業者は、フットボード１２を持ち上げて動かしながら、図７（ｂ）に示すように、ねじ穴１２２にねじ込まれたねじ３２を連結部材２０の開放穴部２１２に挿入する。その際、ねじ３２は、開放穴部２１２の開放部２１４を通して開放穴部２１２の内側に通される。そして、作業者は、ねじ３１を長穴部２１１に通してねじ穴１２１にねじ込み、ねじ３１、３２を固く締める。これにより、フットボード１２とサイドレール１３と脚部材１５とが連結固定される。なお、ヘッドボード１１とサイドレール１３との組み立て手順についても、脚部材１５の有無を除けば、上述した手順と同様である。
【００２９】
これによれば、ベッドフレーム１０は、ヘッドボード１１又はフットボード１２と、サイドレール１３とを連結する連結部材２０を備えている。連結部材２０は、板状であってヘッドボード１１又はフットボード１２の内側面に固定される第１取付部２１と、板状であってサイドレール１３の内側面に固定される第２取付部２２と、第１取付部２１と第２取付部２２とを接続する接続部２３と、を有している。すなわち、連結部材２０において、第１取付部２１と第２取付部２２とは、接続部２３によって接続されている。そのため、第１取付部２１と第２取付部２２との離接方向への強度が向上し、その結果、ベッドフレーム１０のしなりや揺れに対する安定性の向上を図ることができる。
【００３０】
接続部２３は、板状であって、第１取付部２１の下側の辺部２１３と第２取付部の下側の辺部２２２とを接続している。これにより、仮にヘッドボード１１、フットボード１２、及びサイドレール１３が幅の細い板材で構成されていた場合であっても、接続部２３と脚部材１５との接触面積を大きく確保することができる。すなわち、脚部材１５が支持する面積を大きく確保することができる。その結果、脚部材１５による支持の安定性の向上を図ることができる。
【００３１】
連結部材２０は、第１取付部２１と第２取付部２２との接続部分にリブ２５を備えている。これによれば、第１取付部２１と第２取付部２２との離接方向への耐久力つまり強度を更に向上させることができる。そして、第１取付部２１と第２取付部２２とは、金属製の板部材２０１を折り曲げることにより一体に形成されている。また、リブ２５は、塑性変形によって形成されている。すなわち、第１取付部２１、第２取付部２２、及びリブ２５は、１枚の金属製の板部材２０１を板金加工することで製造される。したがって、第１取付部２１、第２取付部２２、及びリブ２５を製造するための工数を極力抑えることができ、その結果、第１取付部２１、第２取付部２２、及びリブ２５を形成することによるコストの増大を極力低減させることができる。
【００３２】
第１取付部２１は、ねじ３２を通すための開放穴部２１２を有している。開放穴部２１２は、第１取付部２１を厚み方向へ貫いて形成されている。そして、開放穴部２１２の上側は開放されている。すなわち、開放穴部２１２の上側には、外部に向かって開放された開放部２１４が形成されている。これによれば、作業者は、次のようにしてベッドフレーム１０を組み立てることができる。すなわち、作業者は、ベッドフレーム１０を組み立てる際、例えば予め連結部材２０をサイドレール１３に取り付けるとともに、ねじ３１をベッドボード１１又はフットボード１２に緩く取り付けておく。そして、作業者は、開放部２１４を通してそのねじ３１を開放穴部２１２の内側に挿入することができる。これにより、ベッドボード１１又フットボード１２と、連結部材２０が取り付けられたサイドレール１３との位置決めの調整が容易となり、その結果、ベッドフレーム１０の組み立て性を向上させることができる。
【００３３】
更に、開放穴部２１２の下側は閉塞されている。すなわち、開放穴部２１２の下側には、閉塞された閉塞部２１５が形成されている。これによれば、連結部材２０が脚部材１５に支持されることにより、ヘッドボード１１又はフットボード１２と連結部材２０とが相対的に上下方向へ移動したとしても、ねじ３２が閉塞部２１５に係止される。したがって、ねじ３２が開放穴部２１２から抜け落ちることを防ぐことができ、その結果、ヘッドボード１１又はフットボード１２と、サイドレール１３との連結の安定性をより向上させることができる。
【００３４】
（第２実施形態）
次に、第２実施形態について図８を参照して説明する。
第２実施形態の連結部材２０において、第１取付部２１は、第１実施形態の開放穴部２１２に換えてだるま穴部２１６を有している。だるま穴部２１６は、開放穴部２１２の開放部２１４に換えて、大径部２１７を有している。大径部２１７の内径は、第１実施形態の開放部２１４の幅つまり内径よりも大きく、かつ、ねじ３２のねじ頭の外径よりも大きく設定されている。ベッドフレーム１０を組み立てる際、作業者は、ねじ３２を大径部２１７に通すことで、ねじ３２をだるま穴部２１６の内側に挿入することができる。これによっても、上記第１実施形態と同様の作用効果が得られる。
【００３５】
なお、上記各実施形態は、上記したかつ図面に示した実施形態にのみ限定されるものではなく、発明又は考案の要旨を逸脱しない範囲で適宜変更して実施し得る。
例えば、上記各実施形態において、ヘッドボード１１又フットボード１２側のいずれか一方には連結部材２０を設け、他方側には従来のＬ字状の金具を設ける構成としてもよい。
脚部材１５は、少なくとも連結部材２０の下方に設けられて連結部材２０を支持すればよく、必ずしもフットボード１２及びサイドレール１３を支持する必要はない。この場合、連結部材２０の接続部２３は、サイドレール１３の内側の面、及びフットボード１２又はヘッドボード１１の内側の面に対して傾斜していてもよい。すなわち、脚部材１５は、垂直方向に対して傾いた状態で接続部２３に取り付けられてもよい。
【００３６】
接続部２３は、板状のものに限られず、例えば円柱や角柱状の部材であってもよい。
上記各実施形態において、第１フレーム部材及び第２フレーム部材の概念を相互に入れ替えることができる。すなわち、左右のサイドレール１３１、１３２を第１フレーム部材とし、ヘッドボート１１及びフットボード１２を、第２フレーム部材としてもよい。
ベッドフレーム用連結部材２０は、金属製のものに限られず、例えば樹脂の成型品であってもよい。
ヘッドボード１１は、フットボード１２と類似の形状にして、設置面から浮かせた状態に構成してもよい。この場合、ベッドフレーム１０は、４つの脚部材１５を備えることになる。
【符号の説明】
【００３７】
図面中、１０はベッドフレーム、１１はヘッドボード（第１フレーム部材）、１２はフットボード（第１フレーム部材）、１３、１３１、１３２はサイドレール（第２フレーム部材）、１５は脚部材、２０はベッドフレーム用連結部材、２０１は板部材、２１は第１取付部、２１２は開放穴部、２１３は第１取付部の下側の辺部、２２は第２取付部、２２２は第２取付部の下側の辺部、２３は接続部、２５はリブを示す。
【図１】
0003196202.tif 000003
【図２】
0003196202.tif 000004
【図３】
0003196202.tif 000005
【図４】
0003196202.tif 000006
【図５】
0003196202.tif 000007
【図６】
0003196202.tif 000008
【図７】
0003196202.tif 000009
【図８】
0003196202.tif 000010
【図９】
0003196202.tif 000011